(57)【特許請求の範囲】
【請求項１】
建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムであって、
前記玄関子機は、
前記玄関扉に人が来た事を検知した時、前記ドアホン親機に対して来訪通知を送信し、
前記ドアホン親機は、
前記通信端末による前記電子錠に対する開錠操作を許可するか否かの情報が設定され、
前記来訪通知を受信した時、前記通信端末に対して来訪端末通知を送信し、
前記来訪端末通知を送信した後、前記通信端末に対して前記玄関子機からの映像を転送し、
前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、
前記電子錠の開錠が完了すると、前記通信端末に対する前記玄関子機からの映像の転送を継続しつつ、前記通信端末に前記電子錠の開錠が完了した旨を示す情報を送信する、
ドアホンシステム。
【請求項２】
建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムであって、
前記玄関子機は、
前記玄関扉に人が来た事を検知した時、前記ドアホン親機に対して来訪通知を送信し、
前記ドアホン親機は、
前記通信端末による前記電子錠に対する開錠操作を許可するか否かの情報が設定され、
前記来訪通知を受信した時、前記通信端末に対して来訪端末通知を送信し、
前記来訪端末通知を送信した後、前記通信端末に対して前記玄関子機からの映像を転送し、
前記玄関子機からの映像を転送中に、前記通信端末から、前記通信端末において応答操作が行われた事を示す通話開始指示を受信した時、前記玄関子機と前記通信端末との通話を中継し、
前記映像の転送中かつ前記通話の中継中に、前記通信端末から、前記通信端末において開錠指示操作が行われた事を示す開錠端末指示を受信した時、開錠操作を許可する設定となっている場合のみ、前記電子錠を開錠させ、
前記電子錠の開錠が完了すると、前記通信端末に対する前記玄関子機からの映像の転送を継続しつつ、前記通信端末に前記電子錠の開錠が完了した旨を示す情報を送信する、
ドアホンシステム。
【請求項３】
前記ドアホン親機は、
前記開錠端末指示を受信した時、開錠操作を許可する設定となっていない場合、前記通信端末に対して操作拒否通知を送信する、
請求項１または２に記載のドアホンシステム。
【請求項４】
建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムに使用されるドアホン親機であって、
前記通信端末による前記電子錠に対する開錠操作を許可するか否かの情報が設定され、
前記玄関子機から、前記玄関扉に人が来た事を示す来訪通知を受信した時、前記通信端末に対して来訪端末通知を送信し、
前記来訪端末通知を送信した後、前記通信端末に対して前記玄関子機からの映像を転送し、
前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、
前記電子錠の開錠が完了すると、前記通信端末に対する前記玄関子機からの映像の転送を継続しつつ、前記通信端末に前記電子錠の開錠が完了した旨を示す情報を送信する、
ドアホン親機。
【請求項５】
建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムにおける通信方法であって、
前記通信端末による前記電子錠に対する開錠操作を許可するか否かの情報が設定され、
前記玄関子機が、
前記玄関扉に人が来た事を検知した時、前記ドアホン親機に対して来訪通知を送信し、
前記ドアホン親機が、
前記来訪通知を受信した時、前記通信端末に対して来訪端末通知を送信し、
前記来訪端末通知を送信した後、前記通信端末に対して前記玄関子機からの映像を転送し、
前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、
前記電子錠の開錠が完了すると、前記通信端末に対する前記玄関子機からの映像の転送を継続しつつ、前記通信端末に前記電子錠の開錠が完了した旨を示す情報を送信する、
通信方法。
【請求項６】
建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムに使用されるドアホン親機において実行可能なプログラムであって、
前記ドアホン親機には、前記通信端末による前記電子錠に対する開錠操作を許可するか否かの情報が設定されており、
前記玄関子機から、前記玄関扉に人が来た事を示す来訪通知を受信した時、前記通信端末に対して来訪端末通知を送信する処理と、
前記来訪端末通知を送信した後、前記通信端末に対して前記玄関子機からの映像を転送する処理と、
前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させる処理と、
前記電子錠の開錠が完了すると、前記通信端末に対する前記玄関子機からの映像の転送を継続しつつ、前記通信端末に前記電子錠の開錠が完了した旨を示す情報を送信する処理と、
を前記ドアホン親機に実行させるプログラム。
【発明の詳細な説明】
【技術分野】
【０００１】
本開示は、ドアホンシステム、ドアホン親機、通信方法およびプログラムに関する。
【背景技術】
【０００２】
従来、玄関への来訪者の確認や玄関扉の開錠を室内のドアホン親機から行う事ができるドアホンシステムは、広く普及している。近年、このような来訪者確認や扉開錠操作を、スマートフォン等の携帯可能な通信端末から行う事を可能にする技術が注目されている（例えば、特許文献１参照）。
【０００３】
特許文献１に記載の技術（以下「従来技術」という）において、サービスセンタ―装置は、通信端末からドア開錠指令を受信すると通信端末に対する認証処理を行い、認証が成功した場合、通信端末に予め対応付けられた玄関扉に対してドアの開錠を指示する。このような従来技術によれば、例えば、子供の帰宅時に、仕事中の親が子供と通話を行い、子供を家に入れるために遠隔操作により玄関扉を開錠するといった事が可能となる。
【先行技術文献】
【特許文献】
【０００４】
【特許文献１】特開２００５−２３６８９号公報
【特許文献２】特開２００７−１２４２２７号公報
【発明の概要】
【発明が解決しようとする課題】
【０００５】
しかしながら、従来技術には、安全性の面で改善の余地がある。例えば、外出先で通信端末が第三者に取得された場合や、真正の通信端末の端末情報を模倣したドア開錠指令が第三者の通信端末から送信された場合、玄関扉が不正に開錠される可能性がある。また、特に、インターネット等の公共網を使用して外出先からの操作が行われる場合、このような可能性は更に高くなる。
【０００６】
本開示の目的は、より高い安全性を確保した状態で、通信端末からの玄関扉の開錠操作を行う事ができるドアホンシステム、ドアホン親機、通信方法およびプログラムを提供する事である。
【課題を解決するための手段】
【０００７】
本開示のドアホンシステムは、建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムであって、前記玄関子機は、前記玄関扉に人が来た事を検知した時、前記ドアホン親機に対して来訪通知を送信し、前記ドアホン親機は、前記通信端末による前記電子錠に対する開錠操作を許可するか否かの情報が設定され、前記来訪通知を受信した時、前記通信端末に対して来訪端末通知を送信し、前記来訪端末通知を送信した後、前記通信端末に対して前記玄関子機からの映像を転送し、前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、前記電子錠の開錠が完了すると、前記通信端末に対する前記玄関子機からの映像の転送を継続しつつ、前記通信端末に前記電子錠の開錠が完了した旨を示す情報を送信する。
【０００８】
本開示のドアホン親機は、建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムに使用されるドアホン親機であって、前記通信端末による前記電子錠に対する開錠操作を許可するか否かの情報が設定され、前記玄関子機から、前記玄関扉に人が来た事を示す来訪通知を受信した時、前記通信端末に対して来訪端末通知を送信し、前記来訪端末通知を送信した後、前記通信端末に対して前記玄関子機からの映像を転送し、前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、前記電子錠の開錠が完了すると、前記通信端末に対する前記玄関子機からの映像の転送を継続しつつ、前記通信端末に前記電子錠の開錠が完了した旨を示す情報を送信する。
【０００９】
本開示の通信方法は、建物の玄関扉に設けられる電子錠と、前記玄関扉の近傍に配置される玄関子機と、前記建物の内部に配置され、前記建物の外部に持ち出し可能な通信端末と通信可能なドアホン親機と、を含むドアホンシステムにおける通信方法であって、前記通信端末による前記電子錠に対する開錠操作を許可するか否かの情報が設定され、前記玄関子機が、前記玄関扉に人が来た事を検知した時、前記ドアホン親機に対して来訪通知を送信し、前記ドアホン親機が、前記来訪通知を受信した時、前記通信端末に対して来訪端末通知を送信し、前記来訪端末通知を送信した後、前記通信端末に対して前記玄関子機からの映像を転送し、前記玄関子機からの映像を転送中に、前記通信端末から、前記通信端末において開錠指示操作が行われた事を示す開錠端末指示を受信した時、開錠操作を許可する設定となっている場合のみ、前記電子錠を開錠させ、前記電子錠の開錠が完了すると、前記通信端末に対する前記玄関子機からの映像の転送を継続しつつ、前記通信端末に前記電子錠の開錠が完了した旨を示す情報を送信する。
【発明の効果】
【００１０】
本開示によれば、より高い安全性を確保した状態で、通信端末からの玄関扉の開錠操作を行う事ができる。
【図面の簡単な説明】
【００１１】
【図１】本開示の一実施の形態に係るドアホンシステムの構成の一例を示すシステム構成図
【図２】本実施の形態における玄関子機の構成の一例を示すブロック図
【図３】本実施の形態におけるドアホン親機の構成の一例を示すブロック図
【図４】本実施の形態における端末情報テーブルの一例を示す図
【図５】本実施の形態における無線端末の構成の一例を示すブロック図
【図６】本実施の形態におけるドアホン親機の動作の一例を示すフローチャート
【図７】本実施の形態における端末選択画面の一例を示す平面図
【図８】本実施の形態における設定選択画面の一例を示す平面図
【図９】本実施の形態における接続中処理の一例を示すフローチャート
【図１０】本実施の形態における、開錠許可設定の無線端末により開錠操作が行われる場合のドアホンシステムの動作の一例を示すシーケンス図
【図１１】本実施の形態における来訪端末通知受信時の無線端末の表示状態の一例を示す平面図
【図１２】本実施の形態における通話時の無線端末の表示状態の一例を示す平面図
【図１３】本実施の形態における開錠指示操作時無線端末の表示状態の一例を示す平面図
【図１４】本実施の形態における開錠操作成功時の無線端末の表示状態の一例を示す平面図
【図１５】本実施の形態における、開錠不許可設定の無線端末により開錠操作が行われる場合のドアホンシステムの動作の一例を示すシーケンス図
【図１６】本実施の形態における開錠操作失敗時の無線端末の表示状態の一例を示す平面図
【発明を実施するための形態】
【００１２】
以下、本開示の一実施の形態について、図面を参照して詳細に説明する。
【００１３】
＜システムの概要＞
まず、本開示の一実施の形態に係るドアホンシステムの概要について説明する。
【００１４】
図１は、本実施の形態に係るドアホンシステムの構成の一例を示すシステム構成図である。ここでは、システム構成の周辺の環境についても併せて図示している。
【００１５】
図１に示すように、ドアホンシステム１００は、例えば、ユーザ２２０の自宅である建物２００の玄関扉２１０に設けられる電子錠３００と、玄関扉２１０の近傍に配置される玄関子機４００と、建物２００の室内に配置されるドアホン親機５００とを有する。
【００１６】
電子錠３００は、玄関扉２１０の開錠／施錠を、鍵穴に対する通常の鍵操作に加えて、電気信号である開錠要求／施錠要求に応じて行う鍵装置である。電子錠３００とドアホン親機５００との間には、ＪＥＭ−Ａ規格コードである電子錠コード３０１が敷設されている。電子錠３００は、ドアホン親機５００からの制御を受けて開錠／施錠を行う事が可能となっている。
【００１７】
玄関子機４００は、呼出ボタン、スピーカ、マイクロフォン、およびデジタルカメラを備えている。玄関子機４００とドアホン親機５００との間には、１対の銅線から成る２線ケーブル４０１が敷設されている。玄関子機４００は、呼出および通話の機能に加えて、玄関周辺の映像を撮影してドアホン親機５００へ送信する機能を有している。なお、２線ケーブル４０１は、例えば、過去に建物２００に設置されていた、映像信号の伝送を行わない古いタイプのドアホンシステムで使用されていた通信ケーブルである。
【００１８】
ドアホン親機５００は、スピーカ、タッチパネル付き液晶ディスプレイ、モニターボタン、通話ボタン、マイクロフォン、および施錠／開錠ボタンを備えている。ドアホン親機５００は、呼出に対する応答（通話の開始）の機能に加えて、玄関子機４００から送られてきた玄関周辺の映像を表示する機能と、玄関扉２１０の電子錠３００の開錠／施錠操作を受け付ける機能とを有している。
【００１９】
また、ドアホンシステム１００は、建物２００の室内に配置される無線通信ルータ６１０と、インターネット等の公共網６２０に接続された認証サーバ６００と、建物２００の外部に持ち出し可能なスマートフォン等の無線端末（通信端末）７００とを有する。
【００２０】
無線通信ルータ６１０は、無線通信回線６１１、６１２により、ドアホン親機５００および公共網６２０のそれぞれと接続し、ドアホン親機５００と公共網６２０との間で通信の中継を行う。無線通信回線６１１は、例えば、Ｗｉ−Ｆｉ（登録商標）の回線であり、無線通信回線６１２は、例えば、ＬＴＥ（Long Term Evolution）回線である。
【００２１】
認証サーバ６００は、公共網６２０を介して無線通信ルータ６１０と接続し、無線通信ルータ６１０を介してドアホン親機５００と通信を行う。また、認証サーバ６００は、ドアホン親機５００にアクセスしようとする無線端末（例えば無線端末７００）に対して認証処理を行い、認証が成功した場合、その無線端末とドアホン親機５００との間で通信の中継を行う。
【００２２】
無線端末７００は、無線通信回線７０１により、公共網６２０と接続し、認証サーバ６００を介してドアホン親機５００にアクセスする。無線通信回線７０１は、例えば、ＬＴＥ回線である。無線端末７００は、公共網６２０、認証サーバ６００、および無線通信ルータ６１０を介して、建物２００の内部および外部から、ドアホン親機５００と接続可能となっている。
【００２３】
また、無線端末７００は、スピーカ、タッチパネル付き液晶ディスプレイ、マイクロフォン、端末モニターボタン、端末通話ボタン、端末開錠ボタン、および端末施錠ボタンを備えている。なお、これらのボタンは、例えば、タッチパネル付き液晶ディスプレイに表示される画像ボタンである。
【００２４】
そして、上述のドアホン親機５００は、玄関子機４００と無線端末７００との間で、映像、音声、および各種制御情報の転送を行うと共に、無線端末７００からの開錠端末指示を受けて、電子錠３００を開錠させる。すなわち、上述のドアホン親機５００は、呼出に対する応答（通話の開始）、玄関周辺の映像の表示、電子錠３００の開錠／施錠操作を、無線端末７００においても可能にする機能を有している。
【００２５】
なお、図１では、無線端末７００を１台のみ図示しているが、ドアホンシステム１００においてドアホン親機５００と接続可能な無線端末７００は、例えば、複数存在している。
【００２６】
なお、玄関子機４００およびドアホン親機５００は、例えば、特許文献２に記載の技術をベースとして、相手への送信の対象となる各種データを、パケット化した上で符号化を行い、ベースバンド伝送により相手に送信する。この際、玄関子機４００およびドアホン親機５００は、それぞれのベースバンド伝送を、時分割複信（時分割双方向伝送）によって行う。すなわち、玄関子機４００およびドアホン親機５００は、送信と受信とを時間の経過に応じて交互に切り替え、相手が送信を行っていない区間にのみ送信を行う。
【００２７】
これにより、ドアホンシステム１００は、既存の２線ケーブル４０１を有効活用して、玄関子機４００からドアホン親機５００への高品質な映像音声信号送信を実現する事ができる。但し、玄関子機４００とドアホン親機５００との間の通信方式は、かかる例に限定されるものではなく、公知の各種通信方式を採用する事ができる。
【００２８】
このようなドアホンシステム１００は、ユーザ２２０に対し、建物２００の中に居る時のみならず、建物２００の外に居る時においても、玄関に来訪者２３０があった時に、その旨を知る事を可能にする。そして、ドアホンシステム１００は、ユーザ２２０に対し、ドアホン映像を確認しながら来訪者２３０と会話をし、来訪者２３０がユーザ２２０の子供である事等を確認した場合に、玄関扉２１０の開錠操作を遠隔で行う事を可能にする。
【００２９】
ところが、無線端末７００から公共網６２０を介して遠隔で開錠の指示を行う場合、上述の通り、安全性の面において改善の余地があった。そこで、ドアホン親機５００は、開錠端末指示による電子錠３００の開錠を許可するか否かを設定する操作を受け付け、設定内容に従って無線端末７００からの開錠を制限する事により、安全性の向上を図る。
【００３０】
例えば、無線端末７００が第三者に取得された場合や、不正な開錠端末指示が第三者の通信端末から送信されている場合、無線端末７００からの開錠を許可しないように設定する事により、玄関扉２１０が不正に開錠されるのを防止する事ができる。また、子供が所持する無線端末７００からの開錠を許可しないように設定する事により、玄関扉２１０が不適切なタイミングで開錠されるのを防止する事ができる。したがって、ドアホンシステム１００は、玄関扉２１０が不適切に開錠される可能性を低く抑えた状態で、無線端末７００からの開錠操作を実現する事ができる。
【００３１】
＜各装置の構成＞
ここで、ドアホンシステム１００の主要な装置の構成について説明する。なお、ドアホンシステム１００を構成する各装置は、例えば、図示しないが、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、以下に説明する各部の機能は、ＣＰＵが制御プログラムを実行する事により実現される。
【００３２】
＜電子錠の構成＞
電子錠３００の構成としては、公知の電子錠の構成を採用する事ができる。例えば、電子錠３００は、電子錠コード３０１の一端が接続されるＪＥＭ−Ａ標準ＨＡ端子−Ａを備えたＪＥＭ−Ａアダプタを含み、端子への入力信号に応じて開錠／施錠の状態を切り替えるように構成されている。
【００３３】
このような構成により、電子錠３００は、ドアホン親機５００からの制御を受けて、玄関扉２１０の開錠／施錠を行う事ができる。
【００３４】
＜玄関子機の構成＞
図２は、玄関子機４００の構成の一例を示すブロック図である。
【００３５】
図２において、玄関子機４００は、子機側ケーブル接続部４１０、子機側キー入力部４２０、子機側スピーカ４０２、子機側マイク４０３、子機側音声Ｉ／Ｆ（インターフェイス）部４３０、および子機側カメラ部４４０を有する。また、玄関子機４００は、子機側制御部４５０、子機側パケット構成部４６０、子機側送信ドライバ４７０、子機側受信ドライバ４８０、および子機側データ抽出部４９０を有する。
【００３６】
子機側ケーブル接続部４１０は、例えば２線ケーブル用の接続端子を含み、２線ケーブル４０１の玄関側の一端と、子機側送信ドライバ４７０および子機側受信ドライバ４８０との間を、信号を伝送可能な状態で接続する。
【００３７】
子機側キー入力部４２０は、上述の呼出ボタンを含み、呼出ボタンが操作された時、その旨を示す信号を子機側制御部４５０へ出力する。
【００３８】
子機側スピーカ４０２は、子機側音声Ｉ／Ｆ部４３０から出力されたアナログ音声データを、音声に変換して出力する。
【００３９】
子機側マイク４０３は、周囲の音声を集音してアナログ音声データに変換し、子機側音声Ｉ／Ｆ部４３０へ出力する。
【００４０】
子機側音声Ｉ／Ｆ部４３０は、子機側制御部４５０から出力されたデジタル音声データを、アナログ音声データに変換し、信号レベルを調整して、子機側スピーカ４０２へ出力する。また、子機側音声Ｉ／Ｆ部４３０は、子機側マイク４０３から出力されたアナログ音声データを、信号レベルを調整し、デジタル音声データに変換して、子機側制御部４５０へ出力する。かかるアナログ／デジタル変換は、Ａ／Ｄ，Ｄ／Ａ変換器（図示せず）により行われる。
【００４１】
なお、子機側音声Ｉ／Ｆ部４３０は、子機側マイク４０３から出力されたアナログ音声データをデジタル変換したデータに対して、所定の音声圧縮処理を行って得られるデータを、デジタル音声データとして子機側制御部４５０へ出力してもよい。また、子機側音声Ｉ／Ｆ部４３０は、子機側制御部４５０から出力されたデジタル音声データが所定の音声圧縮処理を行って得られたデータである場合、当該データに対して所定の音声伸張処理を行ってから、デジタル／アナログ変換を行う。
【００４２】
子機側カメラ部４４０は、上述のデジタルカメラを含み、玄関の映像を撮影し、デジタル映像データを生成して、子機側制御部４５０へ出力する。なお、子機側カメラ部４４０は、エンコーダモジュールを搭載していてもよい。すなわち、子機側カメラ部４４０は、デジタルカメラから出力された映像データに対してＨ.２６４等の所定の動画圧縮処理を行って得られるデータを、デジタル映像データとして子機側制御部４５０へ出力してもよい。
【００４３】
子機側制御部４５０の来訪通知部４５１は、玄関扉２１０に来訪者２３０があった時、その旨を示す来訪通知をドアホン親機５００へ送信する。例えば、来訪通知部４５１は、呼出ボタンが操作された旨を示す信号が子機側キー入力部４２０から出力された時、来訪通知をドアホン親機５００へ送信する。
【００４４】
なお、来訪通知部４５１は、玄関扉２１０への来訪者２３０の有無を、玄関扉２１０の近傍に配置された人感センサの出力信号や、子機側カメラ部４４０の画像に対する人検出処理等に基づいて判定してもよい。
【００４５】
また、子機側制御部４５０は、玄関扉２１０に来訪者２３０があった時、あるいは、ドアホン親機５００から音声映像送信指示を受信した時、玄関周辺のモニタリングおよび映像付き通話を実現するための所定の制御処理を開始する。かかる制御処理は、子機側音声Ｉ／Ｆ部４３０および子機側カメラ部４４０から出力されたデジタル音声データおよびデジタル映像データを、ドアホン親機５００へ送信する事により行われる。また、かかる制御処理は、ドアホン親機５００から受信したデジタル音声データを、子機側音声Ｉ／Ｆ部４３０へ出力する事により行われる。
【００４６】
なお、子機側制御部４５０は、来訪通知を送信した時、あるいは、音声映像送信指示を受信した時に、子機側スピーカ４０２、子機側マイク４０３、子機側音声Ｉ／Ｆ部４３０、および子機側カメラ部４４０の動作を開始させるように制御してもよい。
【００４７】
また、子機側制御部４５０は、玄関子機４００の動作あるいはドアホン親機５００の動作に関する各種制御データを、ドアホン親機５００へ送信してもよい。かかる制御データは、例えば、玄関子機４００に備えられた気温センサ、照度センサ、および人感センサ等の各種センサデバイス（図示せず）のセンシング情報を含む。
【００４８】
子機側パケット構成部４６０は、子機側制御部４５０から出力されたデジタル音声データおよびデジタル映像データ（並びに制御データ）を、適宜分割してパケット化し、生成されたパケットデータを符号化して、ドアホン親機５００への上り信号を生成する。そして、子機側パケット構成部４６０は、生成された上り信号を、子機側送信ドライバ４７０へ出力する。
【００４９】
子機側送信ドライバ４７０は、子機側パケット構成部４６０から出力された上り信号をバッファし、信号レベルの調整を行い、子機側ケーブル接続部４１０を介してドアホン親機５００へ送信する。
【００５０】
子機側受信ドライバ４８０は、子機側ケーブル接続部４１０を介してドアホン親機５００から送られてくる下り信号を、信号レベルの調整を行ってバッファし、子機側データ抽出部４９０へ出力する。
【００５１】
子機側データ抽出部４９０は、子機側受信ドライバ４８０から出力された下り信号から、下り信号に含まれるドアホン親機５００のデジタル音声データを抽出し、子機側制御部４５０へ出力する。
【００５２】
なお、上述の子機側制御部４５０によるドアホン親機５００との間の各種情報の送受信は、子機側パケット構成部４６０、子機側送信ドライバ４７０、子機側ケーブル接続部４１０、子機側受信ドライバ４８０、および子機側データ抽出部４９０を介して行われる。
【００５３】
但し、子機側制御部４５０は、ドアホン親機５００との間で予め共有（保持）している送信制御情報に基づいて、上り信号の送信と下り信号の受信とが時分割で行われるように、子機側送信ドライバ４７０および子機側受信ドライバ４８０の動作を制御する。送信制御情報は、玄関子機４００とドアホン親機５００との間の時分割複信における、それぞれの送信タイミングおよび受信タイミングを規定する情報である。子機側送信ドライバ４７０の動作の制御は、例えば、送信制御情報に従って、子機側送信ドライバ４７０の動作（信号のドライブ）を制御するイネーブル信号４７１等を出力する事により行われる。
【００５４】
また、玄関子機４００の上記各部の間のデータの受け渡しは、子機側スピーカ４０２および子機側マイク４０３と子機側音声Ｉ／Ｆ部４３０との間を除き、デジタル伝送により行われる。
【００５５】
このような構成により、玄関子機４００は、玄関扉２１０に来訪者２３０があった時、ドアホン親機５００に対して来訪通知を送信する事ができる。
【００５６】
＜ドアホン親機の構成＞
図３は、ドアホン親機５００の構成の一例を示すブロック図である。
【００５７】
図３において、ドアホン親機５００は、親機側ケーブル接続部５１０、親機側キー入力部５２０、親機側スピーカ５０２、親機側マイク５０３、親機側音声Ｉ／Ｆ部５３０、および親機側ディスプレイ部５４０を有する。また、ドアホン親機５００は、情報格納部５４１、親機無線部５４２、親機側制御部５５０、親機側パケット構成部５６０、親機側送信ドライバ５７０、親機側受信ドライバ５８０、親機側データ抽出部５９０、および電子錠コード接続部５９５を有する。
【００５８】
親機側ケーブル接続部５１０は、例えば２線ケーブル用の接続端子を含み、２線ケーブル４０１の室内側の一端と、親機側送信ドライバ５７０および親機側受信ドライバ５８０との間を、信号を伝送可能な状態で接続する。
【００５９】
親機側キー入力部５２０は、上述のモニターボタンおよび通話ボタンを含み、これらのボタンが操作された時、その旨を示す信号を親機側制御部５５０へ出力する。
【００６０】
親機側スピーカ５０２は、親機側音声Ｉ／Ｆ部５３０から出力されたアナログ音声データを、音声に変換して出力する。
【００６１】
親機側マイク５０３は、周囲の音声を集音してアナログ音声データに変換し、親機側音声Ｉ／Ｆ部５３０へ出力する。
【００６２】
親機側音声Ｉ／Ｆ部５３０は、親機側制御部５５０から出力されたデジタル音声データを、アナログ音声データに変換し、信号レベルを調整して、親機側スピーカ５０２へ出力する。また、親機側音声Ｉ／Ｆ部５３０は、親機側マイク５０３から出力されたアナログ音声データを、信号レベルを調整し、デジタル音声データに変換して、親機側制御部５５０へ出力する。かかるアナログ／デジタル変換は、Ａ／Ｄ，Ｄ／Ａ変換器（図示せず）により行われる。
【００６３】
なお、親機側音声Ｉ／Ｆ部５３０は、親機側マイク５０３から出力されたアナログ音声データをデジタル変換したデータに対して、所定の音声圧縮処理を行って得られるデータを、デジタル音声データとして親機側制御部５５０へ出力してもよい。また、親機側音声Ｉ／Ｆ部５３０は、親機側制御部５５０から出力されたデジタル音声データが所定の音声圧縮処理を行って得られたデータである場合、当該データに対して所定の音声伸張処理を行ってから、デジタル／アナログ変換を行ってもよい。
【００６４】
親機側ディスプレイ部５４０は、上述の液晶ディスプレイを含み、親機側制御部５５０から出力されたデジタル映像データを再生し、玄関の映像を表示する。なお、親機側制御部５５０から出力されたデジタル映像データが所定の動画圧縮処理を行って得られたデータである場合、当該データに対して所定の動画伸張処理を行って、映像表示を行う。
【００６５】
情報格納部５４１は、玄関子機４００との通話および電子錠３００の開錠／施錠操作を行う権限を有する無線端末７００に関する情報を記述した、端末情報テーブルを格納する。
【００６６】
図４は、端末情報テーブルの一例を示す図である。
【００６７】
図４に示すように、端末情報テーブル９１０は、ドアホン親機５００と接続可能な無線端末７００毎に、端末名称９１１、端末種別９１２、ＩＤ（IDentifier）情報９１３、鍵情報９１４、パスワード９１５、および開錠設定９１６を、対応付けて記述している。
【００６８】
端末名称９１１は、無線端末７００の名称である。端末種別９１２は、無線端末７００の端末種別である。ＩＤ情報９１３は、ＭＡＣ（Media Access Control）アドレス等の通信において用いられる無線端末７００の識別情報である。鍵情報９１４は、ドアホン親機５００と無線端末７００との間での通信の暗号化および復号化に使用される情報である。パスワード９１５は、ドアホン親機５００の無線端末７００に対する認証処理に用いられる情報である。開錠設定９１６は、無線端末７００による電子錠３００に対する開錠操作を許可するか否かを示す情報である。
【００６９】
端末名称９１１〜パスワード９１５は、例えば、ドアホン親機５００に対する情報入力操作や、公知技術による近・中距離無線通信を用いたドアホン親機５００と無線端末７００との間での情報交換により、予め登録される。開錠設定９１６は、後述の端末登録部５５３により、適宜、「許可」と「不許可」との間で切り替えて設定される。なお、開錠設定９１６は、初期状態において「不許可」となっている事が望ましい。
【００７０】
例えば、「スマートフォン１」という端末名称９１１に対応付けて、「許可」という開錠設定９１６が記述されている。これは、「スマートフォン１」という名称の無線端末７００については、電子錠３００に対する開錠操作が許可されているという事を示す。また、「スマートフォン２」という端末名称９１１に対応付けて、「不許可」という開錠設定９１６が記述されている。これは、「スマートフォン２」という名称の無線端末７００については、電子錠３００に対する開錠操作が許可されていないという事を示す。
【００７１】
なお、上述の情報交換は、例えば、同一ＬＡＮ（Local Area Network）内における、コマンド通信により行われる。具体的には、無線端末７００は、近・中距離無線通信機能のオンオフの切り替えが可能となっており、無線通信ルータ６１０の通信圏内に位置し、かつ、かかる機能がオンとなっている時、無線通信ルータ６１０に直接接続する（配下となる）。そして、ドアホン親機５００は、例えば、ドアホン親機５００と同様に無線端末７００が無線通信ルータ６１０の配下となっている事を条件として、無線端末７００から無線通信ルータ６１０を介して端末名称９１１〜パスワード９１５の設定を受け付ける。ドアホン親機５００および無線端末７００は、例えば、ＨＴＴＰ（HyperText Transfer Protocol）のＣＧＩ（Common Gateway Interface）コマンドを用いて、情報をやり取りする。但し、かかる情報は、ＡＥＳ（Advanced Encryption Standard）等の技術により暗号化された状態で送信されることが望ましい。
【００７２】
図３の親機無線部５４２は、無線通信回路およびアンテナを含み、上述の無線通信回線６１１、６１２により無線通信ルータ６１０と通信可能に接続する。そして、親機無線部５４２は、無線通信ルータ６１０、公共網６２０、および認証サーバ６００を介して、無線端末７００と通信可能に接続する。
【００７３】
親機側制御部５５０は、玄関子機４００から上述の来訪通知を受信した時、親機側スピーカ５０２から、所定の呼出音を出力させる。呼出音の出力は、例えば、親機側制御部５５０が、所定の呼出音のデジタル音声信号を親機側音声Ｉ／Ｆ部５３０へ出力する事により行われる。
【００７４】
更に、親機側制御部５５０は、玄関周辺のモニター、および、玄関子機４００とドアホン親機５００との間の映像付き通話を実現するための所定の制御処理を開始する。かかる制御処理は、親機側音声Ｉ／Ｆ部５３０から出力されたデジタル音声データを、玄関子機４００へ送信し、玄関子機４００から受信したデジタル音声データおよびデジタル映像データを、子機側音声Ｉ／Ｆ部４３０および親機側ディスプレイ部５４０へ出力する事により行われる。但し、親機側制御部５５０は、親機側キー入力部５２０から、通話ボタンが操作された旨を示す信号が出力されるまでは、デジタル音声データの玄関子機４００への送信を行わない。
【００７５】
なお、親機側制御部５５０は、来訪通知を受信した時に、親機側スピーカ５０２、親機側マイク５０３、親機側音声Ｉ／Ｆ部５３０、および親機側ディスプレイ部５４０の動作を開始させるように制御してもよい。
【００７６】
また、親機側制御部５５０は、ドアホン親機５００の動作あるいは玄関子機４００の動作に関する制御データを、玄関子機４００へ送信してもよい。かかる制御データは、例えば、ドアホン親機５００から玄関子機４００のカメラ動作（データレート、パン、チルト、ライト、シャッタ、およびフィルター等の動作）や、玄関子機４００に備えられた各種センサデバイスの動作を制御するための制御信号を含む。また、かかる制御データは、玄関子機４００に備えられた無線通信回路等（図示せず）を介して屋外に配置されたデバイス（門の電子鍵等）の動作を制御するための制御信号を含む。
【００７７】
更に、親機側制御部５５０は、認証サーバ６００を介して無線端末７００からログイン要求を受信した時、情報格納部５４１に格納されたログイン情報（例えば、図４のＩＤ情報９１３およびパスワード９１５）に基づいて無線端末７００に対する認証処理を行う。すなわち、親機側制御部５５０は、例えば、ログイン要求に含まれる暗号化されたＩＤ情報およびパスワードを、鍵情報で復号し、ログイン情報の内容と照合する。そして、通話中継部５５２は、認証が成功した場合、認証サーバ６００を介して無線端末７００と接続する。
【００７８】
そして、親機側制御部５５０は、無線端末７００と接続している状態において、玄関子機４００から上述の来訪通知を受信した時、上述の処理と共に、端末通知部５５１において、無線端末７００に対する来訪端末通知の送信を行う。また、端末通知部５５１は、来訪通知を受信する毎に、その旨を、後述の電子錠制御部５５４へ通知する。
【００７９】
親機側制御部５５０の通話中継部５５２は、無線端末７００からピア・ツー・ピアの通信（以下「Ｐ２Ｐ通信」と表記する）の開始の要求が送信されたとき、これを受理するか否かを決定する。通話中継部５５２は、かかる要求を受理する場合、その旨の応答を無線端末７００に送信すると共に、玄関子機４００から送られてくる映像の無線端末７００への転送を開始する。
【００８０】
また、通話中継部５５２は、無線端末７００から通話開始指示を受信すると、玄関子機４００と無線端末７００との間で映像付き通話を実現するための通話中継処理を開始する。かかる通話中継処理は、無線端末７００から受信したデジタル音声データを、玄関子機４００へ送信し、玄関子機４００から受信したデジタル音声データおよびデジタル映像データを、無線端末７００へ送信する事により行われる。
【００８１】
また、通話中継部５５２は、無線端末７００から、玄関周辺の映像の送信を要求する映像送信要求を受信した時、上述の音声映像送信指示を玄関子機４００へ送信する。そして、通話中継部５５２は、玄関子機４００から受信したデジタル映像データを、無線端末７００へ送信する。
【００８２】
親機側制御部５５０の端末登録部５５３は、無線端末７００による電子錠３００に対する開錠操作を許可するか否かを設定する操作を受け付ける。例えば、端末登録部５５３は、ドアホン親機５００のタッチパネル付き液晶ディスプレイに、端末設定画面を表示する。端末設定画面は、ドアホンシステム１００のユーザ（例えばユーザ２２０）から、無線端末７００毎に開錠許可／不許可の設定を受け付けるためのユーザインタフェースである。そして、端末登録部５５３は、端末設定画面に対する操作に応じて、端末情報テーブル９１０の開錠設定９１６（図４参照）を書き換える。端末設定画面の詳細については、後述する。
【００８３】
親機側制御部５５０の電子錠制御部５５４は、無線端末７００から親機無線部５４２を介して開錠端末指示を受信した時、開錠要求を玄関扉２１０の電子錠３００へ送信し、電子錠３００を開錠させる。但し、電子錠制御部５５４は、開錠端末指示を受信した時、端末情報テーブル９１０（図４参照）を参照し、開錠端末指示の送信元の無線端末７００について、開錠操作を許可する設定がされているか否かを判定する。そして、電子錠制御部５５４は、開錠操作を許可する設定となっている事を条件として、電子錠３００を開錠させる。また、電子錠制御部５５４は、開錠要求により電子錠３００を開錠させた場合、２０秒等の所定の時間が経過した時に、施錠要求を玄関扉２１０の電子錠３００へ送信して、電子錠３００を施錠させる事が望ましい。
【００８４】
親機側パケット構成部５６０は、親機側制御部５５０から出力されたデジタル音声データ（および制御データ）を、適宜分割してパケット化し、生成されたパケットデータを符号化して、下り信号を生成する。そして、親機側パケット構成部５６０は、生成された下り信号を、親機側送信ドライバ５７０へ出力する。
【００８５】
親機側送信ドライバ５７０は、親機側パケット構成部５６０から出力された下り信号をバッファしてゲイン調整を行い、親機側ケーブル接続部５１０を介して玄関子機４００へと送信する。
【００８６】
親機側受信ドライバ５８０は、親機側ケーブル接続部５１０を介して玄関子機４００から送られてくる上り信号を、ゲイン調整を行ってバッファし、親機側データ抽出部５９０へ出力する。
【００８７】
親機側データ抽出部５９０は、親機側受信ドライバ５８０から出力された下り信号から、上り信号に含まれる玄関子機４００のデジタル音声データおよびデジタル映像データを抽出し、親機側制御部５５０へ出力する。
【００８８】
電子錠コード接続部５９５は、例えば、ＪＥＭＡ標準ＨＡ端子−Ａを備えたＪＥＭ−Ａアダプタを含み、電子錠コード３０１の一端と、親機側制御部５５０との間を、信号を伝送可能な状態で接続する。
【００８９】
なお、上述の親機側制御部５５０による玄関子機４００との間の各種情報の送受信は、子親機側パケット構成部５６０、親機側送信ドライバ５７０、親機側ケーブル接続部５１０、親機側受信ドライバ５８０、および親機側データ抽出部５９０を介して行われる。
【００９０】
但し、親機側制御部５５０は、上述の送信制御情報を予め保持しており、下り信号の送信と上り信号の受信とが時分割で行われるように、親機側送信ドライバ５７０の動作を制御する。かかる制御は、例えば、送信制御情報に従って、親機側送信ドライバ５７０の動作（信号のドライブ）を制御するイネーブル信号５７１等を出力する事により行われる。
【００９１】
また、上述の親機側制御部５５０による無線端末７００との間の各種情報の送受信は、親機無線部５４２を介して行われる。そして、上述の親機側制御部５５０による電子錠３００との間の各種情報の送受信は、電子錠コード接続部５９５を介して行われる。
【００９２】
また、ドアホン親機５００の上記各部の間のデータの受け渡しは、親機側スピーカ５０２および親機側マイク５０３と親機側音声Ｉ／Ｆ部５３０との間を除き、デジタル伝送により行われる。
【００９３】
このような構成により、ドアホン親機５００は、無線端末７００による電子錠３００の開錠操作を許可するか否かを設定する操作を、ユーザから受け付ける事ができる。そして、ドアホン親機５００は、玄関子機４００から来訪通知を受信した時、無線端末７００に対して来訪端末通知を送信し、無線端末７００から開錠端末指示を受信した時、開錠操作を許可する設定となっている事を条件として、電子錠３００を開錠させる事ができる。
【００９４】
＜無線通信ルータの構成＞
無線通信ルータ６１０の構成としては、無線により通信を中継する公知の無線通信ルータの構成を採用する事ができる。
【００９５】
＜認証サーバの構成＞
認証サーバ６００の構成としては、通信を中継する公知の無線通信ルータおよび認証サーバの構成を採用する事ができる。
【００９６】
認証サーバ６００は、例えば、ドアホン親機５００へのアクセスを要求してきた無線端末（例えば無線端末７００）に対して、無線端末７００との間で予め交換された認証情報に基づいて、認証処理を行う、認証処理部（図示せず）を有する。かかる認証処理としては、例えば、ＳＳＬ（Secure Sockets Later）認証や、認証サーバ６００と無線端末７００との間で予め取り交わしたパスワードによる認証等を採用する事ができる。
【００９７】
そして、認証サーバ６００は、無線端末７００に対する認証が成功した事を条件として、無線端末７００との接続を確立し、無線端末７００と（無線通信ルータ６１０を介した）ドアホン親機５００との間の通信の中継を行う、端末通信中継部（図示せず）を有する。
【００９８】
なお、認証サーバ６００は、ドアホン親機５００から来訪端末通知を受信した時、かかる通知を無線端末７００へ転送するが、かかる転送は、無線端末７００とドアホン親機５００との間の通信が確立される前であってもよいし、後であってもよい。
【００９９】
＜無線端末の構成＞
図５は、無線端末７００の構成の一例を示すブロック図である。
【０１００】
図５において、無線端末７００は、端末無線部７１０、端末スピーカ７２０、端末マイク７３０、端末音声Ｉ／Ｆ部７４０、端末ディスプレイ部７５０、タッチパネル部７６０、および端末制御部７７０を有する。
【０１０１】
端末無線部７１０は、無線通信回路およびアンテナを含み、上述の無線通信回線７０１により公共網６２０に接続された無線基地局（図示せず）と通信可能に接続する。そして、端末無線部７１０は、無線基地局および公共網６２０を介して認証サーバ６００と通信可能に接続する。更に、端末無線部７１０は、認証サーバ６００により通信の中継が行われている間、認証サーバ６００、公共網６２０、および無線通信ルータ６１０を介して、ドアホン親機５００と通信可能に接続する。
【０１０２】
端末スピーカ７２０は、端末音声Ｉ／Ｆ部７４０から出力されたアナログ音声データを、音声に変換して出力する。
【０１０３】
端末マイク７３０は、周囲の音声を集音してアナログ音声データに変換し、端末音声Ｉ／Ｆ部７４０へ出力する。
【０１０４】
端末音声Ｉ／Ｆ部７４０は、端末制御部７７０から出力されたデジタル音声データを、アナログ音声データに変換し、信号レベルを調整して、端末スピーカ７２０へ出力する。また、端末音声Ｉ／Ｆ部７４０は、端末マイク７３０から出力されたアナログ音声データを、信号レベルを調整し、デジタル音声データに変換して、端末制御部７７０へ出力する。かかるアナログ／デジタル変換は、Ａ／Ｄ，Ｄ／Ａ変換器（図示せず）により行われる。
【０１０５】
なお、端末音声Ｉ／Ｆ部７４０は、端末マイク７３０から出力されたアナログ音声データをデジタル変換したデータに対して、所定の音声圧縮処理を行って得られるデータを、デジタル音声データとして端末制御部７７０へ出力してもよい。また、端末音声Ｉ／Ｆ部７４０は、端末制御部７７０から出力されたデジタル音声データが所定の音声圧縮処理を行って得られたデータである場合、当該データに対して所定の音声伸張処理を行ってから、デジタル／アナログ変換を行ってもよい。
【０１０６】
端末ディスプレイ部７５０は、上述のタッチパネル付液晶ディスプレイの液晶ディスプレイ部分を含み、端末制御部７７０から出力されたデジタル映像データを再生する。なお、端末制御部７７０から出力されたデジタル映像データが所定の動画圧縮処理を行って得られたデータである場合、当該データに対して所定の動画伸張処理を行って、映像表示を行う。また、端末ディスプレイ部７５０は、端末制御部７７０からの制御に従って、上述の端末モニターボタン、端末通話ボタン、端末開錠ボタン、および端末施錠ボタンを表示する。
【０１０７】
タッチパネル部７６０は、無線端末７００に対する各種操作を受け付ける。例えば、タッチパネル部７６０は、端末ディスプレイ部７５０に端末モニターボタン、端末通話ボタン、端末開錠ボタン、あるいは端末施錠ボタンが表示されている時、これらに対するクリック操作を受け付け、かかる操作が行われた時、その旨を端末制御部７７０へ通知する。
【０１０８】
端末制御部７７０は、タッチパネル部７６０においてドアホン親機５００に対する接続の開始を要求する操作があった時、認証サーバ６００による認証処理を受ける。認証サーバ６００による認証が成功すると、認証サーバ６００による無線端末７００とドアホン親機５００との間の通信の中継が開始される。端末制御部７７０は、かかる通信の中継が開始されると、次に、端末制御部７７０は、ドアホン親機５００に対してログイン要求を送信する。
【０１０９】
端末制御部７７０の端末情報出力部７７１は、ドアホン親機５００から来訪端末通知を受信した時、玄関扉２１０に人が来た事を示す呼出音を端末スピーカ７２０から出力させる。これにより、端末情報出力部７７１は、玄関扉２１０に来訪者２３０が居る旨を、ユーザ２２０に通知する。また、端末情報出力部７７１は、端末ディスプレイ部７５０に、上述の端末モニターボタン、端末通話ボタン、および端末開錠ボタンを表示させる。
【０１１０】
端末制御部７７０の通話制御部７７２は、無線端末７００において端末モニターボタンをクリックする等の確認操作が行われた時、ドアホン親機５００に対してＰ２Ｐ通信の開始の要求を送信する。これにより、ドアホン親機５００との間のＰ２Ｐ通信が開始され、通話制御部７７２は、ドアホン親機５００から送られてくる玄関周辺の映像の出力を開始する。音声出力は、例えば、端末情報出力部７７１が、呼出音のデジタル音声信号を、端末音声Ｉ／Ｆ部７４０へ出力する事により行われる。また、映像出力は、例えば、端末情報出力部７７１が、ドアホン親機５００からのデジタル映像データを、親機側ディスプレイ部５４０へ出力する事により行われる。
【０１１１】
また、端末制御部７７０の通話制御部７７２は、無線端末７００において端末通話ボタンをクリックする等の応答操作が行われた時、ドアホン親機５００に対して上述の通話開始指示を送信し、ドアホン親機５００を介して無線端末７００と玄関子機４００との間の通話を開始させる。すなわち、通話制御部７７２は、ドアホン親機５００から送られてくる玄関周辺の映像および音声を、端末ディスプレイ部７５０および端末スピーカ７２０から出力させると共に、端末マイク７３０が入力した無線端末７００周辺の音声を、ドアホン親機５００へ送信する。
【０１１２】
なお、通話制御部７７２は、来訪端末通知を受信していない状態において、端末モニターボタンをクリックする等の確認操作が行われた時、上述の映像送信要求をドアホン親機５００へ送信する。そして、かかる要求に対応してドアホン親機５００から送られてくる玄関周辺の映像を、端末ディスプレイ部７５０から出力させる。
【０１１３】
端末制御部７７０の操作通知部７７３は、無線端末７００において上述の端末開錠ボタンをクリックする等の開錠指示操作が行われた時、ドアホン親機５００に対して上述の開錠端末指示を送信する。
【０１１４】
また、端末制御部７７０の操作通知部７７３は、無線端末７００において施錠指示操作が行われた時、ドアホン親機５００に対して上述の施錠端末指示を送信する。施錠指示操作は、例えば、端末ディスプレイ部７５０に表示された端末施錠ボタンに対するクリック操作である。
【０１１５】
なお、端末制御部７７０のこれらの機能部は、例えば、無線端末７００に予めインストールされたアプリケーションソフトウェアにより実現される。また、上述の端末制御部７７０による認証サーバ６００およびドアホン親機５００との間の各種情報の送受信は、端末無線部７１０を介して行われる。
【０１１６】
このような構成により、無線端末７００は、ドアホン親機５００から来訪端末通知を受信した時、玄関扉２１０に人が来た事を示す情報を出力し、無線端末７００において開錠指示操作が行われた時、ドアホン親機５００に対して開錠端末指示を送信する事ができる。
【０１１７】
＜ドアホン親機の動作＞
次に、ドアホン親機５００の動作について説明する。なお、ここでは、無線端末７００との通信に関連する主要な動作に着目して説明を行う。
【０１１８】
図６は、ドアホン親機５００の動作の一例を示すフローチャートである。
【０１１９】
ステップＳ１００１において、端末登録部５５３は、端末設定操作が行われたか否かを判定する。端末設定操作は、例えば、ドアホン親機５００のタッチパネル付きディスプレイに端末登録部５５３が表示する端末設定画面において、いずれかの無線端末７００に対し、開錠操作の許可／不許可を選択する操作である。なお、端末登録部５５３は、例えば、ドアホン親機５００のタッチパネル付きディスプレイに表示された所定のアイコンがクリックされた時、端末設定画面を表示させる。
【０１２０】
端末設定画面は、例えば、操作の対象となる無線端末７００を選択するための端末選択画面と、選択された無線端末７００に対して開錠操作の許可／不許可を選択するための設定選択画面とを含む。
【０１２１】
図７は、端末設定画面のうちの端末選択画面の一例を示す平面図である。
【０１２２】
図７に示すように、端末選択画面９２０は、操作の対象となる無線端末７００を選択するための画面である事を示す画面情報９２１と、ドアホン親機５００と接続可能な複数の無線端末７００のそれぞれの端末名称が付されたアイコン９２２とを含む。また、端末選択画面９２０は、端末選択画面９２０から通常時画面に戻るためのアイコン９２３を含む。
【０１２３】
端末登録部５５３は、例えば、端末情報テーブル９１０の端末名称９１１（図４参照）を参照して、端末選択画面９２０を生成する。端末登録部５５３は、無線端末７００の端末名称が付されたアイコン９２２のいずれかがクリック（選択）されたとき、これを検出し、対応する無線端末７００についての設定選択画面を生成して表示させる。
【０１２４】
図８は、「スマートフォン１」のアイコン９２２が選択された場合に表示される、設定選択画面の一例を示す平面図である。
【０１２５】
図８に示すように、設定選択画面９３０は、どの無線端末７００に対して開錠操作の許可／不許可を選択するための画面であるかを示す画面情報９３１を含む。また、設定選択画面９３０は、選択中の無線端末７００に対して開錠操作を許可する事を決定するためのアイコン９３２と、選択中の無線端末７００に対して開錠操作を許可しない事を決定するためのアイコン９３３とを含む。更に、設定選択画面９３０から端末選択画面９２０に戻るためのアイコン９３４を含む。
【０１２６】
端末登録部５５３は、端末設定操作が行われた場合、つまり、アイコン９３２、９３３がクリックされた場合（図６のＳ１００１：ＹＥＳ）、処理をステップＳ１００２へ進める。また、端末登録部５５３は、端末設定操作が行われていない場合（Ｓ１００１：ＮＯ）、処理を後述のステップＳ１００３へ進める。
【０１２７】
ステップＳ１００２において、端末登録部５５３は、行われた端末設定操作に従って、開錠許可／不許可を設定する。
【０１２８】
すなわち、端末登録部５５３は、開錠操作の許可を決定するためのアイコン９３２（図８参照）がクリック（選択）されたとき、端末情報テーブル９１０のうち、選択中の無線端末７００に対応する開錠設定９１６を、「許可」に書き換える（あるいは維持する）。また、端末登録部５５３は、開錠操作の不許可を決定するためのアイコン９３３（図８参照）がクリック（選択）されたとき、端末情報テーブル９１０のうち、選択中の無線端末７００に対応する開錠設定９１６を、「不許可」に書き換える（あるいは維持する）。
【０１２９】
なお、端末登録部５５３は、端末設定操作を行おうとする人に対して、予め定められたパスワードの入力を求める等、所定の認証処理を行ってもよい。これにより、端末設定操作を、その権限を有する人（例えば、建物２００の居住者のうち大人）に制限する事ができる。
【０１３０】
ステップＳ１００３において、通話中継部５５２は、無線端末７００からのログイン要求を受信したか否かを判定する。通話中継部５５２は、ログイン要求を受信した場合（Ｓ１００３：ＹＥＳ）、処理をステップＳ１００４へ進める。また、通話中継部５５２は、ログイン要求を受信していない場合（Ｓ１００３：ＮＯ）、処理を後述のステップＳ１００６へ進める。
【０１３１】
ステップＳ１００４において、通話中継部５５２は、無線端末７００に対する認証処理を行う。ここでは、認証が成功した場合を想定して説明を行う。通話中継部５５２は、無線端末７００に対してログイン応答を送信し、無線端末７００と接続する。なお、認証が失敗した場合、ドアホン親機５００は、例えば、認証失敗を示す応答を無線端末７００へ送信して、処理を後述のステップＳ１００６へ進める。
【０１３２】
ステップＳ１００５において、ドアホン親機５００は、無線端末７００による玄関周辺のモニタリングおよび玄関子機４００との映像付き通話を実現するための接続中処理を実施する。接続中処理の詳細については後述する。
【０１３３】
なお、ドアホン親機５００は、ステップＳ１００３〜Ｓ１００５の処理を、無線端末７００毎に行う。
【０１３４】
そして、ステップＳ１００６において、ドアホン親機５００は、ユーザ操作等により処理の終了を指示されたか否かを判定する。ドアホン親機５００は、処理の終了を指示されていない場合（Ｓ１００６：ＮＯ）、処理をステップＳ１００１へ進める。また、ドアホン親機５００は、処理の終了を指示された場合（Ｓ１００６：ＹＥＳ）、一連の処理を終了する。
【０１３５】
図９は、接続中処理（図６のステップＳ１００５）の一例を示すフローチャートである。
【０１３６】
ステップＳ１０１０において、端末通知部５５１は、玄関子機４００から来訪通知を受信したか否かを判定する。端末通知部５５１は、来訪通知を受信した場合（Ｓ１０１０：ＹＥＳ）、処理をステップＳ１０２０へ進める。また、端末通知部５５１は、来訪通知を受信していない場合（Ｓ１０１０：ＮＯ）、処理を後述のステップＳ１０３０へ進める。
【０１３７】
ステップＳ１０２０において、端末通知部５５１は、来訪端末通知を、認証サーバ６００を介して無線端末７００へ送信する。
【０１３８】
ステップＳ１０３０において、通話中継部５５２は、無線端末７００からＰ２Ｐ通信の開始を要求するＰ２Ｐ開始要求を受信したか否かを判定する。通話中継部５５２は、Ｐ２Ｐ開始要求を受信した場合（Ｓ１０３０：ＹＥＳ）、処理をステップＳ１０４０へ進める。また、通話中継部５５２は、Ｐ２Ｐ開始要求を受信していない場合（Ｓ１０３０：ＮＯ）、処理を後述のステップＳ１０６０へ進める。
【０１３９】
ステップＳ１０４０において、通話中継部５５２は、無線端末７００とのＰ２Ｐ通信を開始するか否かを判定する。通話中継部５５２は、Ｐ２Ｐ通信を開始する場合（Ｓ１０４０：ＹＥＳ）、処理をステップＳ１０５０へ進める。また、通話中継部５５２は、Ｐ２Ｐ通信を開始しない場合（Ｓ１０４０：ＮＯ）、処理を後述のステップＳ１０６０へ進める。なお、通話中継部５５２は、Ｐ２Ｐ通信を開始しない場合、後述のステップＳ１１２０と同様に操作拒否通知を無線端末７００へ送信してもよい。
【０１４０】
ステップＳ１０５０において、通話中継部５５２は、Ｐ２Ｐ通信を開始すると共に、玄関子機４００から送られてくる音声映像の無線端末７００への転送を開始する。但し、通話中継部５５２は、音声の転送については、必ずしも開始しなくてもよい。
【０１４１】
ステップＳ１０６０において、通話中継部５５２は、無線端末７００から通話開始指示を受信したか否かを判定する。通話中継部５５２は、通話開始指示を受信した場合（Ｓ１０６０：ＹＥＳ）、処理をステップＳ１０７０へ進める。また、通話中継部５５２は、通話開始指示を受信していない場合（Ｓ１０６０：ＮＯ）、処理を後述のステップＳ１０９０へ進める。
【０１４２】
ステップＳ１０７０において、通話中継部５５２は、無線端末７００とのＰ２Ｐ通信が開始されているか否かを判断する。通話中継部５５２は、Ｐ２Ｐ通信が開始されている場合（Ｓ１０７０：ＹＥＳ）、処理をステップＳ１０８０へ進める。また、通話中継部５５２は、Ｐ２Ｐ通信が開始されていない場合（Ｓ１０７０：ＮＯ）、処理を後述のステップＳ１０９０へ進める。なお、通話中継部５５２は、Ｐ２Ｐ通信が開始されていない場合、後述のステップＳ１１２０と同様に操作拒否通知を無線端末７００へ送信してもよい。
【０１４３】
ステップＳ１０８０において、通話中継部５５２は、玄関子機４００と無線端末７００との間の通話中継（音声データおよび映像データの転送）を開始する。
【０１４４】
ステップＳ１０９０において、電子錠制御部５５４は、無線端末７００から開錠端末指示を受信したか否かを判定する。電子錠制御部５５４は、開錠端末指示を受信した場合（Ｓ１０９０：ＹＥＳ）、処理をステップＳ１１０３へ進める。また、電子錠制御部５５４は、開錠端末指示を受信していない場合（Ｓ１０９０：ＮＯ）、処理を後述のステップＳ１１３０へ進める。
【０１４５】
ステップＳ１１０３において、電子錠制御部５５４は、端末情報テーブル９１０（図４参照）を参照し、開錠端末指示の送信元の無線端末７００に対して、電子錠３００の開錠操作の許可が設定されているか否かを判定する。なお、電子錠制御部５５４は、例えば、開錠端末指示に含まれる送信元のＩＤ情報に基づいて、開錠端末指示の送信元を特定する。電子錠制御部５５４は、開錠操作の許可が設定されている場合（Ｓ１１０３：ＹＥＳ）、処理をステップＳ１１１０へ進める。また、電子錠制御部５５４は、開錠操作の許可が設定されていない場合（Ｓ１１０３：ＮＯ）、処理を後述のステップＳ１１２０へ進める。
【０１４６】
ステップＳ１１１０において、電子錠制御部５５４は、電子錠３００を開錠させると共に、開錠端末通知を無線端末７００へ送信する。なお、電子錠制御部５５４は、電子錠３００に対して開錠要求を送信し、電子錠３００から開錠が行われた事を示す開錠応答が返信された事をもって、開錠が行われたと判定してもよい。
【０１４７】
ステップＳ１１２０において、電子錠制御部５５４は、電子錠３００を開錠させる事なく、操作拒否通知を無線端末７００へ送信する。
【０１４８】
ステップＳ１１３０において、通話中継部５５２は、通話終了通知を受信したか否かを判定する。通話終了通知は、例えば、無線端末７００において、通話を終了する操作が行われた場合に、無線端末７００から送信される。通話中継部５５２は、通話終了通知を受信した場合（Ｓ１１３０：ＹＥＳ）、処理をステップＳ１１４０へ進める。また、通話中継部５５２は、通話終了通知を受信していない場合（Ｓ１１３０：ＮＯ）、処理を後述のステップＳ１１５０へ進める。
【０１４９】
ステップＳ１１４０において、通話中継部５５２は、玄関子機４００と無線端末７００との間の通話中継を終了する。
【０１５０】
ステップＳ１１５０において、親機側制御部５５０は、ログアウト要求を受信したか否かを判定する。ログアウト要求は、例えば、無線端末７００において、ログアウト操作が行われた場合に、無線端末７００から送信される。親機側制御部５５０は、ログアウト要求を受信していない場合（Ｓ１１５０：ＮＯ）、処理をステップＳ１０１０へ戻す。また、親機側制御部５５０は、ログアウト要求を受信した場合（Ｓ１１５０：ＹＥＳ）、処理をステップＳ１１６０へ進める。
【０１５１】
ステップＳ１１６０において、親機側制御部５５０は、無線端末７００との接続を切断して、処理を図６のＳ１００６の処理へ戻す。
【０１５２】
このような動作により、ドアホン親機５００は、建物２００の外部に持ち出された無線端末７００と通信可能に接続し、無線端末７００からの、玄関扉２１０への来訪者２３０の確認、来訪者２３０との通話、および玄関扉２１０の開錠操作を可能にする。また、ドアホン親機５００は、かかる開錠操作を許可するか否かの設定操作を、無線端末７００毎に受け付け、設定内容に従って開錠操作を制限する事ができる。
【０１５３】
＜システムの動作＞
最後に、ドアホンシステム１００の動作について説明する。
【０１５４】
図１０は、ドアホンシステム１００の動作の一例を示すシーケンス図であり、開錠許可が設定されている無線端末７００によって開錠操作が行われる場合の例である。
【０１５５】
ドアホン親機５００において、ある無線端末７００に対して、電子錠３００の開錠操作を許可する設定が行われる（Ｓ２００１）。そして、当該無線端末７００において、玄関周辺の確認および玄関扉２１０の電子錠３００の操作を行うためのアプリケーションソフトウェアが起動されると、接続開始要求が無線端末７００から認証サーバ６００へ送信される（Ｓ２０１０）。そして、認証サーバ６００による無線端末７００に対する認証が成功すると、認証サーバ６００から接続開始応答が返信される（Ｓ２０２０）。これにより、認証サーバ６００による通信の中継が可能な状態となる。
【０１５６】
なお、図示しないが、ドアホン親機５００も、電源投入時等に認証サーバ６００に対して同様の接続要求を行い、認証サーバ６００から認証処理を受けている。
【０１５７】
更に、無線端末７００からドアホン親機５００へログイン要求が送信され（Ｓ２０３０）、ドアホン親機５００による無線端末７００に対する認証が成功すると、ドアホン親機５００から認証成功を示すログイン応答が返信される（Ｓ２０４０）。
【０１５８】
この状態で玄関子機４００の呼出ボタンが操作されると（Ｓ２０５０）、来訪通知がドアホン親機５００へ送信され（Ｓ２０６０）、これを受信したドアホン親機５００から、来訪端末通知が無線端末７００へ送信される（Ｓ２０７０）。なお、これらの通知と共に、玄関子機４００で取得された音声付き映像のドアホン親機５００への送信も開始される。来訪端末通知を受信した無線端末７００では、玄関扉２１０に来訪者２３０があった事を示す情報が出力される（Ｓ２０９０）。
【０１５９】
来訪者を通知する情報出力を受けたユーザ２２０により、上述の確認操作が行われると（Ｓ２１００）、Ｐ２Ｐ開始要求が無線端末７００からドアホン親機５００へ送信される（Ｓ２１１０）。そして、ドアホン親機５００からＰ２Ｐ開始応答が返信されると共に（Ｓ２１２０）、玄関子機４００からの音声および映像の無線端末７００への転送が開始される（Ｓ２１３０）。この結果、無線端末７００において、玄関周辺の映像等の出力が開始される（Ｓ２１４０）。
【０１６０】
なお、この段階では、ドアホン親機５００は、玄関周辺の音声を出力しない事が望ましい。音声データは、ドアホン親機５００において無線端末７００に転送されないように制御されてもよいし、無線端末７００において音声出力されないように制御されてもよい。
【０１６１】
図１１は、来訪端末通知を受信し、確認操作が行われた時の、無線端末７００の表示状態の一例を示す平面図である。
【０１６２】
図１１に示すように、無線端末７００のタッチパネル付き液晶ディスプレイ７５１は、玄関子機４００で撮影された映像８１１と、映像の送信元である玄関子機４００を示す場所アイコン８１２とを表示する。また、タッチパネル付き液晶ディスプレイ７５１は、端末モニターボタンであるモニターアイコン８１３と、端末通話ボタンである通話アイコン８１４と、端末施錠ボタン兼端末開錠ボタンである電子錠アイコン８１５とを表示する。
【０１６３】
かかる情報出力を受けて、ユーザ２２０により無線端末７００において応答操作（通話アイコン８１４のクリック）が行われると（図１０のＳ２１５０）、無線端末７００からドアホン親機５００へと通話開始指示が送信される（Ｓ２１６０）。その結果、ドアホン親機５００により、無線端末７００から玄関子機４００への音声の転送が開始され、無線端末７００と玄関子機４００との間の通話の中継が開始される（Ｓ２１７０）。
【０１６４】
図１２は、玄関子機４００との通話が開始された時の、無線端末７００の表示状態の一例を示す平面図であり、図１１に対応するものである。
【０１６５】
図１２に示すように、無線端末７００のタッチパネル付き液晶ディスプレイ７５１は、図１１のモニターアイコン８１３および通話アイコン８１４に代えて、通話を終了する操作を受け付けるための通話終了アイコン８１６を表示する。
【０１６６】
来訪者２３０を確認したユーザ２２０により、無線端末７００において開錠指示操作（電子錠アイコン８１５のクリック）が行われると（図１０のＳ２１８０）、無線端末７００からドアホン親機５００へと開錠端末指示が送信される（Ｓ２１９０）。なお、無線端末７００は、誤って開錠指示操作が行われるのを防ぐため、開錠指示操作があった時に、ユーザ２２０に対して当該操作を再確認するためのポップ画面を表示してもよい。
【０１６７】
図１３は、開錠指示操作が行われた時の、無線端末７００の表示状態の一例を示す平面図であり、図１１および図１２に対応するものである。
【０１６８】
図１３に示すように、無線端末７００のタッチパネル付き液晶ディスプレイ７５１は、開錠指示操作を確認するポップ画面８１７を表示する。そして、無線端末７００の操作通知部７７３は、開錠の意思がある旨を示す操作（ＯＫボタンのクリック）がポップ画面８１７で行われた事を条件として、開錠端末指示をドアホン親機５００へ送信する。
【０１６９】
開錠端末指示を送信した無線端末７００には、開錠操作を許可する設定が行われているため、ドアホン親機５００における開錠可否判定は、開錠を許可する判定結果（ＯＫ）となり（図１０のＳ２２００）、ドアホン親機５００から電子錠３００へと開錠要求が送信される（Ｓ２２１０）。
【０１７０】
かかる開錠要求を受信した電子錠３００では、玄関扉２１０の開錠が行われ、開錠が完了した事を示す開錠応答がドアホン親機５００へと返信される（Ｓ２２２０）。そして、ドアホン親機５００から無線端末７００へと開錠端末通知が送信され（Ｓ２２３０）、開錠操作が成功した事を示す情報が、無線端末７００から出力される（Ｓ２２４０）。
【０１７１】
図１４は、開錠操作が成功した時の、無線端末７００の表示状態の一例を示す平面図であり、図１１〜図１３に対応するものである。
【０１７２】
図１４に示すように、無線端末７００のタッチパネル付き液晶ディスプレイ７５１は、電子錠３００の開錠が成功した事を示すポップ画面８１８を表示する。また、タッチパネル付き液晶ディスプレイ７５１は、図１１〜図１３の電子錠アイコン８１５を、電子錠３００が施錠されている事を示す外観から、電子錠３００が開錠されている事を示す外観に変化させる。
【０１７３】
このような動作により、ドアホンシステム１００は、開錠許可が設定されている無線端末７００におけるユーザ２２０の操作に応じて、玄関扉２１０の電子錠３００を開錠させる事ができる。
【０１７４】
図１５は、ドアホンシステム１００の動作の一例を示すシーケンス図であり、開錠許可が設定されていない無線端末７００によって開錠操作が行われる場合の例である。図１０と同一部分には同一ステップ番号を付し、これについての説明を省略する。
【０１７５】
ドアホン親機５００において、ある無線端末７００に対して、電子錠３００の開錠操作を許可しない設定が行われる（Ｓ２００２）。そして、当該無線端末７００において、その使用者（例えばユーザ２２０）により開錠指示操作が行われると（Ｓ２１８０）、上述の通り、開錠端末指示無線端末７００からドアホン親機５００へと送信される（Ｓ２１９０）。ところが、この無線端末７００には開錠許可が設定されていないため、ドアホン親機５００における開錠可否判定は、開錠を許可しない判定結果（ＮＧ）となる（Ｓ４０１０）。そして、ドアホン親機５００から無線端末７００へと操作拒否通知が送信され（Ｓ４０２０）、開錠が失敗した旨（操作エラー）を示す情報が無線端末７００から出力される（Ｓ４０３０）。
【０１７６】
図１６は、開錠操作が失敗した時の、無線端末７００の表示状態の一例を示す平面図であり、図１１〜図１４に対応するものである。
【０１７７】
図１６に示すように、無線端末７００のタッチパネル付き液晶ディスプレイ７５１は、電子錠３００の開錠が失敗した事を示すポップ画面８１９を表示する。
【０１７８】
このような動作により、ドアホンシステム１００は、開錠許可が設定されていない無線端末７００の操作に基づく玄関扉２１０の電子錠３００の開錠を、禁止する事ができる。
【０１７９】
＜本実施の形態の効果＞
以上説明したように、本開示のドアホンシステム１００は、建物２００の玄関扉２１０に設けられる電子錠３００と、玄関扉２１０の近傍に配置される玄関子機４００と、建物２００の内部に配置されるドアホン親機５００と、建物２００の外部に持ち出し可能な無線端末（通信端末）７００とを含む。
【０１８０】
玄関子機４００は、玄関扉２１０に人が来た事を検知した時、ドアホン親機５００に対して来訪通知を送信し、ドアホン親機５００は、来訪通知を受信した時、無線端末７００に対して来訪端末通知を送信する。無線端末７００は、来訪端末通知を受信した時、玄関扉２１０に人が来た事を示す情報を出力し、無線端末７００において開錠指示操作が行われた時、ドアホン親機５００に対して開錠端末指示を送信する。そして、ドアホン親機５００は、無線端末７００による電子錠３００に対する開錠操作を許可するか否かを設定する操作を受け付け、開錠端末指示を受信した時、開錠操作を許可する設定となっている事を条件として、電子錠３００を開錠させる。すなわち、ドアホン親機５００は、開錠端末指示を受信したとしても、開錠端末指示の送信元の無線端末７００に対して開錠許可が設定されていない場合には、玄関扉２１０を開錠させない。
【０１８１】
これにより、本開示のドアホンシステム１００は、無線端末７００からの操作による玄関扉２１０の開錠を可能にしつつ、このような開錠を可能にするか否かの設定を受け付ける事ができる。したがって、ドアホンシステム１００は、従来技術に比べて、より高い安全性を確保した状態で、通信端末からの玄関扉の開錠操作を行う事ができる。
【０１８２】
＜本実施の形態の変形例＞
なお、各装置が通信可能に接続するための構成は、上述の例に限定されない。例えば、無線端末７００は、ドアホン親機５００あるいは無線通信ルータ６１０と、Ｗｉｆｉ（登録商標）や無線ＬＡＮ等の近・中距離無線通信により、直接に通信を行ってもよい。
【０１８３】
また、ドアホン親機５００は、施錠操作についても、開錠操作と同様の処理を行ってもよい。すなわち、ドアホン親機５００は、無線端末７００による電子錠３００の施錠操作を許可するか否かを設定する操作を受け付け、施錠端末指示を受信した時、施錠操作を許可する設定となっている事を条件として、電子錠３００を施錠させてもよい。
【０１８４】
また。ドアホン親機５００は、開錠不許可の設定がされている無線端末７００に対して、来訪端末通知を送信しないようにしてもよい。
【０１８５】
また、玄関子機４００から来訪端末通知を受信して情報出力を行い、開錠指示操作が行われた時にドアホン親機５００へ開錠端末指示を送信する通信端末は、上述の例に限定されるものではない。かかる通信端末は、例えば、タブレット型情報端末やノートパソコンであってもよいし、建物２００の外部に配置されるデスクトップ型パソコン等であってもよい。
【０１８６】
また、無線端末７００による電子錠３００に対する開錠操作を許可するか否かを設定する操作を受け付ける装置は、以上説明した実施の形態においてはドアホン親機５００としたが、これに限定されない。例えば、認証サーバ６００、無線通信ルータ６１０、あるいは無線端末７００において、上記設定操作を受け付け、行われた設定内容を示す情報を、ドアホン親機５００へ送信してもよい。この場合においても、ドアホン親機５００は、結果的に、無線端末７００による電子錠３００に対する開錠操作を許可するか否かを設定する操作を、他の装置を介して間接的に受け付ける事になる。
【０１８７】
また、開錠操作を許可する設定となっているか否かに応じた開錠の制限を行う装置は、以上説明した実施の形態においてはドアホン親機５００としたが、これに限定されない。例えば、認証サーバ６００、無線通信ルータ６１０、あるいは無線端末７００において、開錠端末指示の送信元に対して開錠許可が設定されている事を条件として、当該開錠端末指示をドアホン親機５００へ送信あるいは転送するようにしてもよい。これらの場合においても、ドアホン親機５００は、結果的に、開錠操作を許可する設定となっている無線端末７００から指示を受けた事を条件として電子錠３００を開錠させる動作を行う事になる。但し、開錠の制限を行う装置は、上記設定操作を自ら受け付けるか、他の装置を介して間接的に受け付ける必要がある。
【０１８８】
また、以上説明した各装置の構成の一部は、当該装置の構成の他の部分と物理的に離隔していてもよい。この場合、それらの構成は、互いに通信を行うための通信部をそれぞれ備える必要がある。また、例えば、電子錠３００と玄関子機４００とが１つの装置に纏まっている等、複数の装置が一体的に構成されていてもよい。
【０１８９】
＜本開示のまとめ＞
本開示のドアホンシステムは、建物の玄関扉に設けられる電子錠と、前記玄関扉の近傍に配置される玄関子機と、前記建物の内部に配置されるドアホン親機と、前記建物の外部に持ち出し可能な、または、前記外部に配置される通信端末と、を含むドアホンシステムであって、前記玄関子機は、前記玄関扉に人が来た事を検知した時、前記ドアホン親機に対して来訪通知を送信し、前記ドアホン親機は、前記来訪通知を受信した時、前記通信端末に対して来訪端末通知を送信し、前記通信端末は、前記来訪端末通知を受信した時、前記玄関扉に人が来た事を示す情報を出力し、前記通信端末において開錠指示操作が行われた時、前記ドアホン親機へ前記開錠端末指示を送信し、前記ドアホン親機は、前記通信端末による前記電子錠に対する開錠操作を許可するか否かを設定する操作を受け付け、前記開錠端末指示を受信した時、前記開錠操作を許可する設定となっている事を条件として、前記電子錠を開錠させる。
【０１９０】
なお、上記ドアホンシステムにおいて、前記ドアホン親機は、前記開錠端末指示を受信し、かつ、前記電子錠を開錠させない時、前記通信端末に対して操作拒否通知を送信し、前記通信端末は、前記操作拒否通知を受信した時、操作エラーを示す情報を出力してもよい。
【０１９１】
また、上記ドアホンシステムにおいて、前記ドアホン親機は、複数の前記通信端末について個別に、前記開錠操作を許可するか否かの設定を受け付け、前記開錠端末指示を受信し、前記電子錠を開錠させるか否かを判定してもよい。
【０１９２】
また、上記ドアホンシステムにおいて、前記通信端末は、前記建物の外部に持ち出し可能な無線端末であってもよい。
【０１９３】
本開示のドアホン親機は、建物の玄関扉に設けられる電子錠と、前記玄関扉の近傍に配置される玄関子機と、前記建物の内部に配置されるドアホン親機と、前記建物の外部に持ち出し可能な、または、前記外部に配置される通信端末と、を含むドアホンシステムに使用される前記ドアホン親機であって、前記通信端末による前記電子錠に対する開錠操作を許可するか否かを設定する操作を受け付ける端末登録部と、前記玄関子機から、前記玄関扉に人が来た事を示す来訪通知を受信した時、前記通信端末に対して来訪端末通知を送信する端末通知部と、前記通信端末から、前記通信端末において開錠指示操作が行われた事を示す開錠端末指示を受信した時、前記開錠操作を許可する設定となっている事を条件として、前記電子錠を開錠させる電子錠制御部と、を有する。
【０１９４】
本開示の通信方法は、建物の玄関扉に設けられる電子錠と、前記玄関扉の近傍に配置される玄関子機と、前記建物の内部に配置されるドアホン親機と、前記建物の外部に持ち出し可能な、または、前記外部に配置される通信端末と、を含むドアホンシステムにおける通信方法であって、前記ドアホン親機が、前記通信端末による前記電子錠に対する開錠操作を許可するか否かを設定する操作を受け付けるステップと、前記玄関子機が、前記玄関扉に人が来た事を検知した時、前記ドアホン親機に対して来訪通知を送信するステップと、前記ドアホン親機が、前記来訪通知を受信した時、前記通信端末に対して来訪端末通知を送信するステップと、前記通信端末が、前記来訪端末通知を受信した時、前記玄関扉に人が来た事を示す情報を出力するステップと、前記通信端末が、前記通信端末において開錠指示操作が行われた時、前記ドアホン親機に対して開錠端末指示を送信するステップと、前記ドアホン親機が、前記通信端末から前記開錠端末指示を受信した時、前記開錠操作を許可する設定となっている事を条件として、前記電子錠を開錠させるステップと、を有する。
【産業上の利用可能性】
【０１９５】
本開示は、より高い安全性を確保した状態で、通信端末からの玄関扉の開錠操作を行う事ができるドアホンシステム、ドアホン親機、通信方法およびプログラムとして有用である。
【符号の説明】
【０１９６】
１００  ドアホンシステム
２００  建物
２１０  玄関扉
２２０  ユーザ
２３０  来訪者
３００  電子錠
３０１  電子錠コード
４００  玄関子機
４０１  ２線ケーブル
４０２  子機側スピーカ
４０３  子機側マイク
４１０  子機側ケーブル接続部
４２０  子機側キー入力部
４３０  子機側音声Ｉ／Ｆ部
４４０  子機側カメラ部
４５０  子機側制御部
４５１  来訪通知部
４６０  子機側パケット構成部
４７０  子機側送信ドライバ
４８０  子機側受信ドライバ
４９０  子機側データ抽出部
５００  ドアホン親機
５０２  親機側スピーカ
５０３  親機側マイク
５１０  親機側ケーブル接続部
５２０  親機側キー入力部
５３０  親機側音声Ｉ／Ｆ部
５４０  親機側ディスプレイ部
５４１  情報格納部
５４２  親機無線部
５５０  親機側制御部
５５１  端末通知部
５５２  通話中継部
５５３  端末登録部
５５４  電子錠制御部
５６０  親機側パケット構成部
５７０  親機側送信ドライバ
５８０  親機側受信ドライバ
５９０  親機側データ抽出部
５９５  電子錠コード接続部
６００  認証サーバ
６１０  無線通信ルータ
６１１、６１２、７０１  無線通信回線
６２０  公共網
７００  無線端末
７１０  端末無線部
７２０  端末スピーカ
７３０  端末マイク
７４０  端末音声Ｉ／Ｆ部
７５０  端末ディスプレイ部
７５１  タッチパネル付き液晶ディスプレイ
７６０  タッチパネル部
７７０  端末制御部
７７１  端末情報出力部
７７２  通話制御部
７７３  操作通知部
【図１】
0006304604.tif 000002
【図２】
0006304604.tif 000003
【図３】
0006304604.tif 000004
【図４】
0006304604.tif 000005
【図５】
0006304604.tif 000006
【図６】
0006304604.tif 000007
【図７】
0006304604.tif 000008
【図８】
0006304604.tif 000009
【図９】
0006304604.tif 000010
【図１０】
0006304604.tif 000011
【図１１】
0006304604.tif 000012
【図１２】
0006304604.tif 000013
【図１３】
0006304604.tif 000014
【図１４】
0006304604.tif 000015
【図１５】
0006304604.tif 000016
【図１６】
0006304604.tif 000017